(57)【特許請求の範囲】
【請求項１】
容器本体の開口部に止着されるキャップにおいて、
容器本体の開口部に密着されるとともに、外方に拡開する注出口を備えるキャップ本体と、
キャップ本体にヒンジを介して開閉可能に連結され、キャップ本体との閉じ状態を維持する係止部を備え、キャップ本体の注出口より小流路面積の注出孔を備えるとともに、キャップ本体との閉じ状態でキャップ本体の注出口まわりに密着するシール部を備え、このシール部にシールされた上記注出口を上記注出孔に連通せしめる上蓋とを有し、
キャップ本体と上蓋を低密度ポリエチレン又はリニア低密度ポリエチレンにて構成し、
上蓋をドーム状にし、上蓋のドーム状内面に設けたリング凸状シール部を、上蓋の閉じ状態で、キャップ本体の注出口の拡開縁部に密着し、上蓋の注出孔を上記注出口の拡開縁部の際に位置付け、
上蓋の開き状態では容器内容物を上記注出口から多量吐出可能とし、上蓋の閉じ状態では容器内容物を上記注出口経由で上記注出孔から少量吐出可能とすることを特徴とするキャップ。
【請求項２】
前記上蓋まわりに着脱可能とされ、前記注出孔を封止可能とするカバーキャップを、容器本体のカバー係止部に係脱可能に備えてなる請求項１記載のキャップ。
【請求項３】
前記キャップ本体の注出口の内壁に環状薄肉部を介して該注出口を閉鎖する除去部を設け、該除去部に連結されるプルリングを備えてなる請求項１又は２記載のキャップ。
【発明の詳細な説明】
【０００１】
【発明の属する技術分野】
本発明は、液状物、粉状物等の内容物を装填した容器本体の開口部に止着されるキャップに関する。
【０００２】
【従来の技術】
従来、内容物を少量づつ吐出可能とする容器のキャップ（少量吐出用キャップ）として、実開平2-83247 号公報、実開平2-144557号公報に記載のものがある。これらの従来技術では、容器本体の開口部に止着されるキャップに小流路面積の注出孔を設け、容器内容物をこの注出孔から少量吐出可能としている。
【０００３】
尚、多量の内容物を吐出可能とする容器のキャップ（多量吐出用キャップ）としては、容器本体の開口部に密着されるキャップ本体に大流路面積の注出口を設け、このキャップ本体にヒンジ結合した上蓋によりその注出口を開閉可能とするものが用いられる。
【０００４】
【発明が解決しようとする課題】
然るに、容器の使用時には、例えば食用油の容器において、焼き物、炒め物のための用量は少量とし、揚げ物のための用量は多量とする如くに、単一の容器で少量吐出と多量吐出の両方を求められることが多い。
【０００５】
ところが、従来技術では、キャップを前述の少量吐出用と多量吐出用のいずれか一方に専用化しており、少量吐出と多量吐出の両機能を併せ具備してそれらの両機能を選択使用可能とするものがない。このため、使用者としては、同一内容物について、少量吐出用キャップを備えた容器と、多量吐出用キャップを備えた容器の両容器を用意しておかざるを得ないという不都合がある。
【０００６】
本発明の課題は、キャップにおいて、少量吐出と多量吐出の両機能を併せ具備してそれらの両機能を選択使用可能とすることにある。
【０００７】
【課題を解決するための手段】
請求項１に記載の本発明は、容器本体の開口部に止着されるキャップにおいて、容器本体の開口部に密着されるとともに、外方に拡開する注出口を備えるキャップ本体と、キャップ本体にヒンジを介して開閉可能に連結され、キャップ本体との閉じ状態を維持する係止部を備え、キャップ本体の注出口より小流路面積の注出孔を備えるとともに、キャップ本体との閉じ状態でキャップ本体の注出口まわりに密着するシール部を備え、このシール部にシールされた上記注出口を上記注出孔に連通せしめる上蓋とを有し、キャップ本体と上蓋を低密度ポリエチレン又はリニア低密度ポリエチレンにて構成し、上蓋をドーム状にし、上蓋のドーム状内面に設けたリング凸状シール部を、上蓋の閉じ状態で、キャップ本体の注出口の拡開縁部に密着し、上蓋の注出孔を上記注出口の拡開縁部の際に位置付け、上蓋の開き状態では容器内容物を上記注出口から多量吐出可能とし、上蓋の閉じ状態では容器内容物を上記注出口経由で上記注出孔から少量吐出可能とするようにしたものである。
【００１４】
【発明の実施の形態】
図１はキャップの一実施形態が適用された容器を示す模式図、図２は多量吐出可能状態を示す模式図、図３は少量吐出可能状態を示す模式図、図４はキャップを示す断面図、図５はキャップを示す底面図である。
【００１５】
図１の容器１０は、液状物、粉状物等の内容物を装填した容器本体１１の開口部１２にキャップ２０を止着し、キャップ２０の外まわりにカバーキャップ６０を被着したものである。
【００１６】
キャップ２０は、図４、図５に示す如く、キャップ本体３０と、上蓋４０と、プルリング付き除去部５０とを有して構成されている。
【００１７】
キャップ本体３０は、容器本体１１の開口部１２に密着されるとともに、注出口３１を備える。このとき、キャップ本体３０は、容器本体１１の開口部１２の外周係止部１２Ａに係止する外筒部３２と、開口部１２の内周シール部１２Ｂに封接する内筒部３３と、花びら状に拡開して注出口３１を形成する注出口筒部３４とを備える。
【００１８】
上蓋４０は、ドーム状をなし、キャップ本体３０の背面部にヒンジ４１を介して開閉可能に連結される。尚、ヒンジ４１は、メインヒンジ４１Ａとサブヒンジ４１Ｂ、４１Ｂからなるスナップヒンジを採用できる。そして、上蓋４０は、キャップ本体３０の正面部に設けた係止部３５に対応する部分に、開閉操作部４２を備え、開閉操作部４２の裏面に上記係止部３５と係止してキャップ本体３０との閉じ状態を維持する係止部４３を備える。また、上蓋４０は、キャップ本体３０の注出口３１より小流路面積のノズル状注出孔４４を備えるとともに、キャップ本体３０との閉じ状態でキャップ本体３０の注出口３１まわりに密着するリング凸状シール部４５をそのドーム状内面に備え、このシール部４５にシールされた注出口３１を上記注出孔４４に連通せしめることとしている。
【００１９】
従って、キャップ２０にあっては、(a) 上蓋４０の開き状態（多量吐出状態）では、内容物を注出口３１から多量吐出可能とし（図２）、(b) 上蓋４０の閉じ状態（少量吐出状態）では、内容物を注出口３１経由で注出孔４４から少量吐出可能とする（図３）。
【００２０】
ここで、プルリング付き除去部５０は、キャップ本体３０の注出口筒部３４の内壁に環状薄肉部５１を介して設けられ、注出口３１を閉鎖する。そして、除去部５０はプルリング５２を備えており、プルリング５２を上方に引っ張ることにより薄肉部５１から破断して除去され、注出口３１を開口する。
【００２１】
また、カバーキャップ６０は、キャップ本体３０に対して閉じ状態にある上蓋４０のまわりに着脱可能とされている。カバーキャップ６０は、有天筒状をなし、開口端寄り内面に設けられている係止部６１を容器本体１１のカバー係止部１３に係脱可能とするとともに、天端寄り内面に設けられている封止面６２を上蓋４０の注出孔４４に封接して該注出孔４４を封止可能としている。
【００２２】
尚、キャップ２０にあっては、キャップ２０の全体を例えばＬＤＰＥ（低密度ポリエチレン）、ＬＬＤＰＥ（リニア低密度ポリエチレン）にて構成できる。
【００２３】
従って、容器１０は以下の如くに用いられる。
(1) カバーキャップ６０を取外す。
【００２４】
(2) 上蓋４０の開閉操作部４２を押し上げて上蓋４０を開き、キャップ本体３０の注出口筒部３４内に設けてあるプルリング付き除去部５０を引張り除去する（図２）。これにより、キャップ２０は使用可能状態になる。
【００２５】
(3) 使用可能状態のキャップ２０において、上蓋４０を開けば、内容物を大流路面積の注出口３１から吐出する多量吐出状態となる（図２）。他方、上蓋４０を閉じれば、内容物を小流路面積の注出孔４４から吐出する少量吐出状態となる（図３）。
【００２６】
本実施形態によれば、以下の如くの作用がある。
▲１▼キャップ本体３０に大流路面積の注出口３１を、上蓋４０に小流路面積の注出孔４４を設けた。従って、上蓋４０の開き状態では内容物を注出口３１から多量吐出可能とし、上蓋４０の閉じ状態では内容物を注出孔４４から少量吐出可能とするものとなり、単一の容器１０に少量吐出機能と多量吐出機能とを併せ具備し、それらの両機能を切替使用できる。
【００２７】
▲２▼上蓋４０の閉じ状態で少量吐出を行うとき、内容物は注出口３１経由で注出孔４４から少量吐出される。このとき、上蓋４０のシール部４５がキャップ本体３０の注出口３１まわりに密着し、注出口３１と注出孔４４とはこのシール部４５にシールされた状態で互いに連通せしめられるから、内容物が注出口３１まわりから漏れ出ることを確実に防止できる。
【００２８】
▲３▼上蓋４０の閉じ状態下で、カバーキャップ６０を上蓋４０に装着することにて、注出孔４４を封止しておけば、容器１０が倒れても、内容物が注出孔４４から漏れ出ることをほぼ確実に防止できる。また、注出孔４４まわりに塵埃等を付着させず、衛生的である。
【００２９】
▲４▼キャップ本体３０の注出口３１にプルリング５２付きの除去部５０を設けておくことにより、流通段階での容器１０の密封性を高め、その内容物が未使用であることを容易に確認できる。尚、プルリング５２付きの除去部５０をキャップ本体３０に結合してあるので、容器部品の集約化を図り、容器組立性を向上できる。
【００３０】
尚、キャップ２０にあっては、上蓋４０の開閉操作部４２を用いて上蓋４０を開くことができ、多量吐出状態と少量吐出状態とを切替えるための上蓋４０の開き操作に際して注出孔４４（接液部）に触れることがないから、衛生的である。
【００３１】
また、キャップ２０にあっては、キャップ本体３０の注出口筒部３４を花びら状に拡開しているので、多量吐出時に注出口３１から吐出される内容液の液だれを防止できる。
【００３２】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、上蓋の注出孔を封止する手段として、カバーキャップに限らず、注出孔に封入されるプラグ等の他の手段を用いてもよい。
【００３３】
また、プルリング付き除去部は、キャップ本体に一体形成されるものに限らず、容器本体の開口部にキャップとは別に装着される中栓に設けられるものであってもよい。
【００３４】
【発明の効果】
以上のように本発明によれば、キャップにおいて、少量吐出と多量吐出の両機能を併せ具備してそれらの両機能を選択使用可能とすることができる。
【図面の簡単な説明】
【図１】図１はキャップの一実施形態が適用された容器を示す模式図である。
【図２】図２は多量吐出可能状態を示す模式図である。
【図３】図３は少量吐出可能状態を示す模式図である。
【図４】図４はキャップを示す断面図である。
【図５】図５はキャップを示す底面図である。
【符号の説明】
１１  容器本体
１２  開口部
２０  キャップ
３０  キャップ本体
３１  注出口
４０  上蓋
４１  ヒンジ
４３  係止部
４４  注出孔
４５  シール部
５０  プルリング付き除去部
５１  薄肉部
５２  プルリング
６０  カバーキャップ
【図１】
0003750953.tif 000002
【図２】
0003750953.tif 000003
【図３】
0003750953.tif 000004
【図４】
0003750953.tif 000005
【図５】
0003750953.tif 000006